(57)【特許請求の範囲】
【請求項１】
画像形成装置の側面の外装を形成する側面カバーと、
前記側面カバーと連結される上面カバーと、
前記側面カバーに設けられ、前記画像形成装置の内側に向けて凹んだ凹形状に形成された把持部と、
前記把持部の上面に設けられた挿入孔と、
前記上面カバーに設けられ、前記上面カバーから下方に向けて突出し、凹形状の縁と略平行に伸びる複数の突起と、を有し、
前記複数の突起は、前記把持部の凹形状の縁と略平行に並んで配置され、
前記側面カバーと前記上面カバーを連結すると、前記複数の突起は、前記挿入孔の上方から挿入され、前記把持部上面から下方に向けて突出し、
前記複数の突起のうち、隣合う突起と突起の間隔は、ユーザが前記把持部に手を入れたときにユーザの指が突起と突起との間から抜けない第１の所定の間隔以内であることを特徴とする画像形成装置。
【請求項２】
前記把持部は、前記挿入孔を複数有し、
前記上面カバーを前記側面カバーに連結するときに、前記複数の突起が前記複数の挿入孔にそれぞれ挿入されることを特徴とする請求項１に記載の画像形成装置。
【請求項３】
前記側面カバーとして、互いに対向して配置される第１側面カバーと第２側面カバーとを有し、
前記上面カバーは、第１端で前記第１側面カバーと連結され、第２端で前記第２側面カバーと連結されることを特徴とする請求項１または請求項２に記載の画像形成装置。
【請求項４】
画像形成装置の側面の外装を形成する側面カバーと、
前記側面カバーと連結される本体フレームと、
前記側面カバーに設けられ、前記画像形成装置の内側に向けて凹んだ凹形状に形成され上面が把持される把持部と、
前記把持部の上面に設けられた挿入孔と、
前記本体フレームに設けられ、前記本体フレームから下方に向けて突出し、凹形状の縁と略平行に伸びる複数の突起と、を有し、
前記複数の突起は、前記把持部の凹形状の縁と略平行に並んで配置され、
前記側面カバーと前記本体フレームを連結すると、前記複数の突起は、前記挿入孔の上方から挿入され、前記把持部上面から下方に向けて突出し、
前記複数の突起のうち、隣合う突起と突起の間隔は、ユーザが前記把持部に手を入れたときにユーザの指が突起と突起との間から抜けない第１の所定の間隔以内であることを特徴とする画像形成装置。
【請求項５】
前記把持部は、前記挿入孔を複数有し、
前記本体フレームを前記側面カバーに連結するときに、前記複数の突起が前記複数の挿入孔にそれぞれ挿入されることを特徴とする請求項４に記載の画像形成装置。
【請求項６】
前記把持部の上面の最も内側と前記挿入孔との間隔はユーザが手を入れたときに前記把持部の上面の最も内側と前記挿入孔との間に指が入る第２の所定の間隔以上であることを特徴とする請求項１から請求項５のいずれか一項に記載の画像形成装置。
【請求項７】
前記側面カバーは、下よりも上のほうが画像形成装置の外側に傾斜している傾斜面を有し、
前記把持部は、前記傾斜面に設けられていることを特徴とする請求項１から請求項６のいずれか一項に記載の画像形成装置。
【請求項８】
前記側面カバーは前記画像形成装置の設置面に対して垂直に延びる水平面を有し、前記傾斜面は前記水平面の上端に連続して設けられていることを特徴とする請求項７に記載の画像形成装置。
【請求項９】
前記画像形成装置の上方には、画像読み取り部が設けられていることを特徴とする請求項１から請求項８のいずれか一項に記載の画像形成装置。
【発明の詳細な説明】
【技術分野】
【０００１】
本発明は、複合機、プリンタ、スキャナー、あるいはファクシミリなどの画像形成装置に関し、特に、持ち上げて運搬や移動等を行うために把持部を備えた画像形成装置に関する。
【背景技術】
【０００２】
画像形成装置の側面カバーに手掛用の凹部を設けて把持部の役割を果たさせるものが知られている。手掛用凹部の指を掛ける面には、指が滑らないように突起等を設けて指が引っかかりやすくすることが望ましい。しかし、手掛け用の凹部の内側に指を引っ掛けるような突起を設けると、カバー成形時の型抜き時に、突起が成形用の型と引っかかってしまう。そのため、手掛用凹部に滑り止め用の突起を設けることは困難であった。
【０００３】
そこで、カバー成形後に手掛用凹部に別部材の滑止部材を設けるという画像形成装置が特許文献１に記載してある。滑止部材を手掛用凹部に設けることにより、手掛用凹部を持って画像形成装置を移動するときに、手掛用凹部で指が滑らないようになる。
【先行技術文献】
【特許文献】
【０００４】
【特許文献１】特開２００５−１８９７５２号公報
【発明の概要】
【発明が解決しようとする課題】
【０００５】
しかしながら、上記のような画像形成装置では、手掛用凹部に滑り止めを設けるために、手掛用凹部に別部材の滑止部材を追加して組み立てなければならない。そのため、画像形成装置の組み立て時の組立工程が増えてしまい、手間がかかってしまうという問題があった。
【０００６】
そこで、本発明は上記課題に鑑みてなされたものであって、組み立て時の組立工程を増やすことなく、手掛用凹部に滑り止めを設けることができる画像形成装置を提供することを目的とする。
【課題を解決するための手段】
【０００７】
上記の目的を達成するために請求項１に記載の発明は、画像形成装置の側面の外装を形成する側面カバーと、前記側面カバーと連結される連結部材と、前記側面カバーに設けられ、前記画像形成装置の内側に向けて凹んだ凹形状に形成された把持部と、前記把持部の上面に設けられた挿入孔と、前記連結部材に設けられ、前記連結部材から下方に向けて突出した突起と、を有し、前記側面カバーと前記連結部材を連結すると、前記突起は、前記挿入孔の上方から挿入され、前記把持部上面から下方に向けて突出することを特徴している。
【０００８】
また、請求項２に記載の発明は、請求項１に記載の発明において、前記連結部材は、前記突起を複数有し、前記複数の突起は、前記把持部の凹形状の縁と略平行に並んで配置されることを特徴としている。
【０００９】
また、請求項３に記載の発明は、請求項２に記載の発明において、前記把持部は、前記挿入孔を複数有し、前記連結部材を前記側面カバーに連結するときに、前記複数の突起が前記複数の挿入孔にそれぞれ挿入されることを特徴としている。
【００１０】
また、請求項４に記載の発明は、請求項１から請求項３のいずれかに記載の発明において、前記側面カバーとして、互いに対向して配置される第１側面カバーと第２側面カバーとを有し、前記連結部材は、第１端で前記第１側面カバーと連結され、第２端で前記第２側面カバーと連結されることを特徴としている。
【００１１】
また、請求項５に記載の発明は、請求項２から請求項４のいずれかに記載の発明において、前記複数の突起のうち、隣合う突起と突起の間隔は、ユーザが前記把持部に手を入れたときにユーザの指が突起と突起との間から抜けない第１の所定の間隔以内であることを特徴としている。
【００１２】
また、請求項６に記載の発明は、請求項１から請求項５のいずれかに記載の発明において、前記把持部の上面の最も内側と前記挿入孔との間隔はユーザが手を入れたときに前記把持部の上面の最も内側と前記挿入孔との間に指が入る第２の所定の間隔以上であることを特徴としている。
【００１３】
また、請求項７に記載の発明は、請求項１から請求項６のいずれかに記載の発明において、前記側面カバーは、下よりも上のほうが画像形成装置の外側に傾斜している傾斜面を有し、前記把持部は、前記傾斜面に設けられていることを特徴としている。
【００１４】
また、請求項８に記載の発明は、請求項７に記載の発明において、前記側面カバーは前記画像形成装置の設置面に対して垂直に延びる水平面を有し、前記傾斜面は前記水平面の上端に連続して設けられていることを特徴としている
また、請求項９に記載の発明は、請求項１から８のいずれかに記載の発明において、前記画像形成装置の上方には、画像読み取り部が設けられていることを特徴としている。
【発明の効果】
【００１５】
請求項１に記載の発明によれば、側面カバーの把持部に挿入孔を設け、側面カバーと連結する連結部材に設けた突起を挿入孔に挿入することによって、把持部の上面から突起を突出させる構成としている。これによって、把持部を持って画像形成装置を運ぶときに、把持部の上面から突出した突起を把持部の滑り止めとすることができるので、別部材を設けることなく、把持部に滑り止めを設けることができる。さらに、挿入孔と突起で側面カバーと連結部材を連結しているので、組み付け時の固定のための仮位置決めや把持部を持つときに把持部の引っ張り方向へのたわみも防止することができる。
【００１６】
請求項２に記載の発明によれば、突起を複数有することによって、把持部をもつときに突起が指に引っかかりやすくなり、より滑り止めとしての効果を奏するので、把持部を持ちやすくなる。
【００１７】
請求項３に記載の発明によれば、複数の突起に対して複数の挿入孔を有するので、挿入孔が一つのときよりも挿入孔のサイズを小さくすることができるので、挿入孔の強度を増すことができる。これによって、把持部の引っ張り方向へのたわみをより防止することができる。
【００１８】
請求項４に記載の発明によれば、連結部材が両側面に備えられる側面カバーと連結するように設けられているので、側面カバーの組み付けが容易になる。
【００１９】
請求項５に記載の発明によれば、ユーザが把持部に手をかけたときに突起と突起の間から指が抜けないように、隣合う突起と突起の間隔を第１の所定の間隔以下にしたので、突起と突起の間に指を配置したときに、指の幅のほうが突起と突起の間隔より広いので、指に突起が引っかかりやすくなり、より滑り止めの効果を奏する。
【００２０】
請求項６に記載の発明によれば、ユーザが把持部に手を掛けたときに前記把持部上面の最も内側と前記突起との間に指が入る構成としたので、把持部内で最も内側にある面と突起の間に指を入れるスペースを確保することができるので、より指が滑りにくくなり把持部を持ちやすくなる。
【００２１】
請求項７に記載の発明によれば、側面カバーに設けられた傾斜面に把持部を有する構成としているので、把持部に指を掛けやすく、安定して画像形成装置を持つことができる。
【００２２】
請求項８に記載の発明によれば、傾斜面を水平面よりも上側に設けたので、より画像形成装置を持ちやすくなる。
【００２３】
請求項９に記載の発明によれば、画像形成装置の上部に画像読取部を備える画像形成装置において、把持部を有していることにより、画像読取部を持って画像形成装置を移動することを防止することができ、移動中に画像読取部が画像形成装置に対して回動し、その反動で画像形成装置を落としてしまうなどの危険を防止することができる。
【図面の簡単な説明】
【００２４】
【図１】第１の実施形態に係る画像形成装置の斜視図である。
【図２】第１の実施形態に係る画像形成装置の中央断面図である。
【図３】第１の実施形態に係る画像形成装置の左側面図である。
【図４】図３の把持部のＡ−Ａ断面図である。
【図５】第１の実施形態に係る側面カバーの斜視図である。
【図６】第１の実施形態に係る上面カバーの斜視図である。
【図７】第１の実施形態に係る側面カバーと上面カバーの組み付け図である。
【図８】第２の実施形態に係る画像形成装置の斜視図である。
【図９】第２の実施形態に係る画像形成装置の左側面図である。
【図１０】第２の実施形態に係る側面カバーと本体フレームの組み付け図である。
【発明を実施するための形態】
【００２５】
次に、本発明の実施形態について、適宜図面を参照しながら詳細に説明する。なお、以下の説明では、まず、画像形成装置１の概略構成について説明する。
【００２６】
図１に第１の実施形態に係る画像形成装置１の斜視図を示し、図２に図１の画像形成装置１の中央断面図を示す。また、以下の説明において、方向は、画像形成装置１を使用するユーザを基準にした方向で説明する。すなわち、図２における右側を「前」、左側を「後ろ」とし、手前側を「左」、奥側を「右」とする。また、図２における上下方向を「上下」とする。
＜画像形成装置の概略構成＞
図１、図２に示すように、画像形成装置１は、用紙に画像形成（印刷）可能に構成されている。本体筐体２は、画像形成部４と、読取部５と給紙トレイ７と排紙トレイ８とを主に備えている。さらに、画像形成装置１の側面には把持部２１が備えられており、側面の上方が左右方向に広がっている形状をしている。
【００２７】
給紙トレイ７は本体筐体２の下方に設けられている。給紙トレイ７に収容された用紙は、給紙機構３２によって画像形成部４に供給される。
【００２８】
画像形成部４は、露光装置１０と、プロセスユニット１１と、転写ローラ１２と、定着装置１３とを主に備えている。
【００２９】
読取部５はフラットベット式であって、排紙トレイ８の上方に設けられている。読取部５の上方には開閉可能な上部カバー６を備えている。読取部５はイメージセンサを有しており、このイメージセンサを操作することによってセットされた原稿の情報を読み取ることができる。
【００３０】
露光装置１０は、本体筐体２内に設けられ、図示しないレーザ光源、ポリゴンミラー、レンズ、反射鏡などを備えている。画像データに基づいてレーザ光源から出射されたレーザ光は、ポリゴンミラーや反射鏡で反射され、レンズを通過して、各感光体ドラム１１Ａの表面で高速走査される。
【００３１】
プロセスユニット１１は、給紙トレイ７と露光装置１０との間に配置され、感光体ドラム１１Ａ、帯電器１１Ｂ、現像ローラ１１Ｃ、供給ローラ１１Ｄ、トナー収容部１１Ｅなどを主に備えている。
【００３２】
転写ローラ１２は、給紙トレイ７とプロセスユニット１１との間に設けられている。
【００３３】
定着装置１３は、用紙上に転写されたトナー像（現像剤像）を熱定着する装置であり、プロセスユニット１１の後方に設けられている。この定着装置１３は、加熱ローラ１３Ａと、加熱ローラ１３Ａと対向配置させて、加熱ローラ１３Ａを押圧する加圧ローラ１３Ｂとを主に備えている。
【００３４】
画像形成部４では、感光体ドラム１１Ａの表面が、帯電器１１Ｂにより一様に帯電された後、露光装置１０からのレーザ光によって露光されることで、感光体ドラム１１Ａ上に画像データに基づく静電潜像が形成される。そして、トナー収容部１１Ｅ内のトナーが、供給ローラ１１Ｄおよび現像ローラ１１Ｃを介して感光体ドラム１１Ａ上の静電潜像に供給されることで、静電潜像が可視像化されて感光体ドラム１１Ａ上にトナー像が形成される。
【００３５】
用紙が感光体ドラム１１Ａと転写ローラ１２との間を搬送されると、感光体ドラム１１Ａ上に形成されたトナー像が用紙上に転写される。そして、用紙が加熱ローラ１３Ａと加圧ローラ１３Ｂとの間を搬送されることで、用紙上に転写されたトナー像が熱定着される。画像が形成された用紙は排紙トレイ８にむけて搬送され、排紙トレイ８上に排紙される
＜把持部の構成＞
次に本発明の把持部２１の構成について詳しく説明する。
【００３６】
図３は、画像形成装置１の左側面図である。画像形成装置１は、画像形成装置１の両側面に外装を形成する一対の側面カバー２０を有する。一対の側面カバー２０は、画像形成装置１の右側面と左側面に対向するように配置されている。右側面と左側面は左右対称となっており、ほぼ同一の形状となるため、左側面について詳細に説明し、右側面の詳細な説明は省略する。側面カバー２０は、装置の設置面に対して略垂直に接している面２０Ａ（請求項に記載の水平面の一例）と、側面カバー２０の上方が下方より外側に広がるように、外側に傾斜している傾斜面２０Ｂとを備えている。さらに、傾斜面２０Ｂの上下方向における上端部付近かつ前後方向における中央部には、把持部２１が設けられている。
【００３７】
把持部２１は、側面カバー２０が画像形成装置１の内側に凹んだ凹形状に形成されており、図４に示すように、把持部２１の上方からは上面カバー３０（請求項１に記載の連結部材の一例）に設けられた複数の突起３１が把持部２１の凹形状の縁と略平行な方向、すなわち、前方から後方へ水平方向に並んで突出している。
【００３８】
把持部２１は、把持部上面２１Ａと、把持部下面２１Ｂと、把持部側面２１Ｃと、を備えている。
【００３９】
把持部上面２１Ａには、把持部２１の縁から画像形成装置１の内側に向けて緩やかに下る勾配が備えられている。把持部下面２１Ｂには、把持部２１の縁から画像形成装置１の内側に向けて緩やかに上る勾配が備えられている。言い換えると、把持部２１は、把持部２１の最も内側に設けられた把持部側面２１Ｃから把持部２１の縁へ向かうにつれて次第に拡がる形状になっている。
【００４０】
把持部上面２１Ａには、図５に示すように、複数の挿入孔２２（後で詳細に説明する）が設けられており、把持部上面２１Ａと把持部側面２１Ｃとを連結する位置を把持部最深部２１Ｄとする。
【００４１】
上面カバー３０は、複数の突起３１を備えており、挿入孔２２に突起３１を挿入することで側面カバー２０と連結する。把持部上面２１Ａから下方に向かって突出した突起３１は、把持部最深部２１Ｄより画像形成装置１の外側に１０ｍｍ（請求項に記載の第２の所定の間隔の一例）以上離して設けられている。１０ｍｍというのは、ユーザが把持部２１に指を掛けるときに、突起３１から把持部最深部２１Ｄの間に指を引っ掛けるために必要なスペースであり、一般的な人の指先の大きさである。
【００４２】
把持部上面２１Ａには、複数の挿入孔２２が把持部２１の縁と略平行、すなわち、前後方向に水平に並んで設けられている。挿入孔２２は、把持部最深部２１Ｄから１０ｍｍ以上外側に設けられている。また、複数の挿入孔２２の隣合う挿入孔２２と挿入孔２２の間隔は１０ｍｍ以内になるように設けられている。このように構成することで、挿入孔２２に突起３１を挿入したときに隣合う突起３１と突起３１の間隔を１０ｍｍ（請求項に記載の第１の所定の間隔の一例）以内にすることができる。１０ｍｍというのは、一般の人の指の幅程度の間隔であり、突起３１に指を引っ掛けやすくするために、突起３１と突起３１の間隔は指の幅よりも狭くなっている。このような構成にすることで、突起３１と突起３１の間に指を配置したときでも、突起３１を指に引っ掛けることができる。
【００４３】
側面カバー２０の前方と後方にはネジ孔２３（図５には前方のネジ孔２３のみ図示している）が設けられている。
【００４４】
図６は、画像形成部４と読取部５との間に設けられ、排紙トレイ８が備えられている上面カバー３０の斜視図である。上面カバー３０の左右両側面における前後方向中央部には、下方に向けて突出させた突起３１が側面カバー２０と略平行かつ上下方向に略直交する方向、すなわち、前後方向に水平に並んで設けられている（図６では左側の突起３１のみ図示している）。また、隣り合う突起３１の間隔は１０ｍｍ以内になるように設けられている。このような構成にすることで、突起３１と突起３１の間に指を配置したときでも、突起３１を指に引っ掛けることができる。
【００４５】
さらに、上面カバー３０にはネジ孔３３が上面カバー３０の４隅にそれぞれ設けられている。４隅に設けられたネジ孔３３によって、上面カバー３０は、図示しない本体フレームに組みつけられている。
【００４６】
上面カバー３０は、図７に示すように左右に設けられている側面カバー２０と連結されるようになっている。
<画像形成装置への側面カバーの組み付け>
次に画像形成装置１への側面カバー２０の組み付けについて説明する。
【００４７】
上面カバー３０と側面カバー２０とは、図示しない本体フレームに固定されて組み付けられている。詳細に説明すると、まず上面カバー３０の４隅に設けられたネジ孔３３を図示しない本体フレームにネジ止めすることで上面カバー３０を本体フレームに組み付ける。
【００４８】
次に、上面カバー３０に設けられた突起３１を側面カバー２０に設けられた挿入孔２２に挿入し、側面カバー２０を上面カバー３０と本体フレームに対して仮位置決めする。その後、側面カバー２０の前後に設けられたネジ孔２３を本体フレームにネジ止めすることで、側面カバー２０を画像形成装置１に組み付ける。
【００４９】
上面カバー３０と側面カバー２０を組み付けた後に、上面カバー３０の上方に読取部５を組み付けることで、画像形成装置１への組み付けが完了する。
＜本構成の作用効果＞
以上説明した画像形成装置１によれば、以下のような作用効果を得ることができる。
【００５０】
側面カバー２０の把持部上面２１Ａに挿入孔２２を設け、側面カバー２０と連結する上面カバー３０に設けた突起３１を挿入孔２２の上方から挿入することによって、把持部上面２１Ａから突起３１を下方に突出させることができる。これによって、把持部２１を持って画像形成装置１を運ぶときに、把持部上面２１Ａから突出した突起３１を把持部２１の滑り止めとすることができるので、別部材を把持部２１に設けることなく滑り止めを形成することができる。さらに、挿入孔２２と突起３１で側面カバー２０と上面カバー３０を連結しているので、組み付け時の仮位置決めをすることができる。また、把持部２１を持つときに、把持部２１の画像形成装置外側への引っ張りによる側面カバー２０のたわみも防止することができる。
【００５１】
また、突起３１を複数有することによって、把持部２１をもつときに突起３１が指に引っかかりやすくなり、より滑り止めとしての効果を奏するので画像形成装置１を持ちやすくなる。
【００５２】
また、複数の突起３１に対して複数の挿入孔２２を有するので、一つ一つの挿入孔２２の大きさを挿入孔２２が一つのときに比べて小さくすることができるので、挿入孔２２の強度を増すことができる。これによって、把持部２１の画像形成装置外側への引っ張りによる側面カバー２０のたわみをより防止することができる。
【００５３】
また、上面カバー３０が両側面に備えられる側面カバー２０を連結するように設けられているので、側面カバー２０の組み付けが容易になる。
【００５４】
また、突起３１と突起３１の間隔を１０ｍｍ（第１の所定の間隔以内）としたので、突起３１と突起３１の間に指を配置した場合にも指の幅のほうが突起３１と突起３１の間隔より広いので、指に突起３１が引っかかりやすくなるので、より滑り止めの効果を奏する。
【００５５】
また、把持部上面２１Ａの最も画像形成装置１の内側の位置（把持部最深部２１Ｄ）から１０ｍｍ（第２の所定の間隔）以上外側に離れた位置に突起３１を有するので、把持部側面２１Ｃと突起３１の間に指を入れるスペースを確保することができるので、より把持部２１が持ちやすくなる効果を奏する。
【００５６】
また、側面カバー２０に設けられた傾斜面２０Ｂに把持部２１を有する構成としているので、把持部２１に指を掛けやすく、安定して画像形成装置１を持つことができるという効果を奏する。
【００５７】
また、画像形成装置１の上部に読取部５を備えるような画像形成装置１において、把持部２１を有していることにより、読取部５を持って画像形成装置１を移動することを防止することができ、移動中に読取部５が画像形成装置１に対して回動し、画像形成装置１を落としてしまうなどの危険を防止することができる。
【００５８】
<他の実施形態>
前述した実施形態では、側面カバー２０の上方にある外側に広がっている面２０Ｂに把持部２１を設け、挿入孔２２と突起３１とを複数有している例を例示したが、第２の実施形態として、鉛直に設けた側面カバーの設置面に近い位置に把持部を備え、挿入孔と突起を一つだけ備える画像形成装置について説明する。なお、前述の実施形態と同様の構成のものについては詳しい説明を省略する。
【００５９】
図８、図９に示すように、画像形成装置５１は側面が略鉛直に設けられており、画像形成部４と読取部５と給紙トレイ７と排紙トレイ８と把持部６１とを主に備えている。
【００６０】
図１０は左側面の分解図である。把持部６１の上面には前後方向に長く形成された挿入孔６２が設けられている。また、側面カバー６０の前方と後方（前方のみ図示する）にはネジ孔６３と係合孔６４が設けられている。
【００６１】
本体フレーム７０（請求項１に記載の連結部材の一例）の側面の中央付近には前後方向に長く形成された突起７１が下方を向けて設けられており、さらに前方と後方（前方のみ図示する）にはネジ孔７３と係合フック７４が設けられている
側面カバー６０と本体フレーム７０の組み付けは、まず、挿入孔６２に突起７１を上方から挿入することで本体フレーム７０に対して側面カバー６０の仮位置決めを行う。次に、係合孔６４に係合フック７４をはめ込み、仮位置決めを行った後に、ネジ孔６３とネジ孔７３を同時にネジ止めすることで側面カバー６０を本体フレーム７０に固定する。
【符号の説明】
【００６２】
１，５１    画像形成装置
２，５２    本体筐体
５          読取部
２０，６０  側面カバー
２１，６１  把持部
２１Ｄ      把持部最深部
２２，６２  挿入孔
３０        上面カバー
３１，７１  突起
７０        本体フレーム
【図１】
0005561202.tif 000002
【図２】
0005561202.tif 000003
【図３】
0005561202.tif 000004
【図４】
0005561202.tif 000005
【図５】
0005561202.tif 000006
【図６】
0005561202.tif 000007
【図７】
0005561202.tif 000008
【図８】
0005561202.tif 000009
【図９】
0005561202.tif 000010
【図１０】
0005561202.tif 000011